【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
製剤（Ｚ）であって、
（１）
式
2019519653.tif 000001
および／または
2019519653.tif 000002
の少なくとも１つの化合物（Ａ）を、少なくとも１つのブロックされていないまたは少なくとも部分的にブロックされたジ−、トリ−またはポリイソシアネート（ＩＣ）と、反応させることによって得ることのできる少なくとも１つの変換産物（Ｓ）
ここで、Ｒ１は、−Ｘ−Ｙ−Ｚまたは−Ｚであり、
Ｘ＝−（ＣＨ２）ｎ’’−であり
Ｙ＝
2019519653.tif 000003
であり、
Ｚ＝−（ＣＨ２）ｍ−ＣＨ３である、
Ｒ２は、
2019519653.tif 000004
である
Ｒ３は、−Ｙ−Ｚの意味の場合には、ｎは、残基Ｒ２においてｎ’’によって置き換えられるという規定で、−Ｘ−Ｙ−Ｚ、−Ｚまたは−Ｙ−Ｚである、
Ｒ４は、−Ｘ−Ｙ−Ｚまたは−（ＣＨ２）ｎ’Ｈである、
Ｂ１は、−Ｖ−Ｗ−Ｚまたは−Ｚであり、
Ｖ＝
2019519653.tif 000005
であり、
Ｗ＝
2019519653.tif 000006
である、
Ｂ２は、
2019519653.tif 000007
である、
Ｂ３は、
2019519653.tif 000008
である、
Ｂ４は、
2019519653.tif 000009
である、
Ｑは、−（ＣＨ２）ｎ’’−であり、および
ｎ、ｎ’、ｎ’’、ｎ’’’およびｍは、それぞれ独立に整数であり、
ｎ＝０〜２であり
ｎ’＝０〜４であり、
ｎ’’＝１〜４、
ｎ’’’＝０〜４であり、および
ｍ＝８〜３０、好ましくは１０〜２６、より好ましくは１０〜２２であり、
ここで、前記ポリイソシアネート（ＩＣ）内のフリーのイソシアネート（ＮＣＯ）基の割合は、モルあたり１．８〜１０である、
および、
（２）以下の少なくとも１つのビルディングブロックを含む、少なくとも１つの共重合体（Ｃ）
式
2019519653.tif 000010
ここで、
Ｌは、
2019519653.tif 000011
である、
2019519653.tif 000012
および／または
2019519653.tif 000013
ここで
Ｒ５は、−Ｈまたは−ＣＨ３であり、
Ｒ６は、Ｃ１２−Ｃ４０炭化水素残基であり、
Ｒ７は、直鎖または分岐脂肪族Ｃ１−Ｃ８炭化水素残基であり、
Ｕは、−Ｏ−または−ＮＨ−であり、
Ｒ８は、
2019519653.tif 000014
であり、
および、ｋおよびｐは、それぞれ独立に整数であり、
ｋ＝１〜５であり、および
ｐ＝０〜１０である。
を含み、
（３）１つのブロックされていないまたは少なくとも部分的にブロックされたジ−、トリ−またはポリイソシアネート（ＩＣ）を含んでよく、
（４）水および／または少なくとも１つの有機溶媒を含んでよく、および
（５）少なくとも１つの表面活性物質を含んでよい、
製剤（Ｚ）。
【請求項２】
請求項１に記載の製剤（Ｚ）であって、
前記成分（１）は、製剤（Ｚ）の合計に対して、１０〜９０重量％、好ましくは２０〜８０重量％、より好ましくは２５〜６５重量％を占める、
および／または、
前記成分（２）は、製剤（Ｚ）の合計に対して、１０〜９０重量％、好ましくは２０〜８０重量％、より好ましくは３０〜７０重量％を占める、
および／または、
前記成分（３）は、製剤（Ｚ）の合計に対して、０〜５０重量％、好ましくは５〜３５重量％、より好ましくは１０〜２５重量％を占める、
および／または、
前記成分（４）は、製剤（Ｚ）の合計に対して、２０〜９９．９重量％、好ましくは４０〜９９．８重量％、より好ましくは５０〜９９重量％を占める、
および／または、
前記成分（５）は、成分（１）、（２）および任意選択で（３）および／または任意選択で（５）の合計量に対して、０〜２０重量％、好ましくは１〜２０重量％、より好ましくは２〜１５重量％を占める、
製剤（Ｚ）。
【請求項３】
請求項１または２に記載の製剤（Ｚ）であって、
前記成分（２）は、３０〜９０モル％、好ましくは４０〜８５モル％、より好ましくは５０〜８０モル％のビルディングブロックＭ（１）を含む、
および／または、
前記成分（２）は、５〜６５モル％、好ましくは１０〜５５モル％、より好ましくは１６〜４９モル％のビルディングブロックＭ（２）を含む、
および／または、
前記成分（２）は、０．１〜８モル％、好ましくは０．５〜５モル％、より好ましくは１〜４モル％のビルディングブロックＭ（３）を含む、
製剤（Ｚ）。
【請求項４】
請求項１から３のいずれか一項に記載の製剤（Ｚ）であって、
前記変換産物（Ｓ）に関して、化合物（Ａ）におけるイソシアネート反応基に対する前記ポリイソシアネート（ＩＣ）内のフリーのイソシアネート（ＮＣＯ）基のモル比は、１：１〜１：１．３、好ましくは１〜１．１に調節される、
製剤（Ｚ）。
【請求項５】
請求項１から４のいずれか一項に記載の製剤（Ｚ）であって、
前記イソシアネート（ＩＣ）は、２，４−トルエンジイソシアネート、２，４’−ジフェニルメタンジイソシアネート、４，４’−ジフェニルメタンジイソシアネート（ＭＤＩ）、ジフェニルメタンジイソシアネートのより高次の鎖ホモログ（ポリマーＭＤＩ）、４−メチル−シクロヘキサン−１，３−ジイソシアネート、テトラメチレンジイソシアネート、テトラメチレンジイソシアネート三量体、ヘキサメチレンジイソシアネート、ヘキサメチレンジイソシアネート三量体、イソホロンジイソシアネート、イソホロンジイソシアネート三量体、２，２，４−または２，４，４−トリメチル−１，６−ヘキサメチレンジイソシアネート、二量体ジイソシアネート、およびＭＤＩとポリマーＭＤＩの混合物のような混合物、および、それらの誘導体からなる群より選択される、
製剤（Ｚ）。
【請求項６】
請求項１から５のいずれか一項に記載の製剤（Ｚ）であって、
成分（４）による有機溶媒は、酢酸エチル、酢酸ｎ‐プロピル、酢酸イソプロピル、酢酸ｎ−ブチル、酢酸イソブチルまたは酢酸アミルのようなエステル類、アセトン、メチルエチルケトンのようなケトン類、および、ｎ−ヘキサン、ｎ−ヘプタンまたはｎ−オクタンのような飽和炭化水素類から選択される、
製剤（Ｚ）。
【請求項７】
請求項１から６のいずれかに記載の製剤（Ｚ）であって、
以下のステップ
ａ）少なくとも１つのジ−、トリ−またはポリイソシアネート（ＩＣ）を提供するステップ、
ｂ）少なくとも１つのイソシアネート反応基を含む少なくとも１つの有機化合物（Ｏ）と、（ＩＣ）を反応させるステップ、ここで、イソシアネート反応基に対するイソシアネート基のモル比は、１０：１〜３：２、好ましくは４：１〜２：１に調節される、および
ｃ）２５〜１５０℃、好ましくは４０〜１００℃の温度で、触媒を用いて、ステップｂ）の後に存在する産物をカルボジイミド化するステップ、
によって得ることのできる少なくとも１つの変換産物（ＣＤＩ）をさらに含む、
製剤（Ｚ）。
【請求項８】
請求項１から６のいずれか一項に記載の製剤（Ｚ）であって、
以下のステップ
ａ）少なくとも１つのジ−、トリ−またはポリイソシアネート（ＩＣ）を提供するステップ、
ｂ）２５〜１５０℃、好ましくは４０〜１００℃の温度で、触媒を用いて、（ＩＣ）をカルボジイミド化するステップ；および
ｃ）少なくとも１つのイソシアネート反応基を含む少なくとも１つの有機化合物（Ｏ）と、ステップｂ）の後に存在する産物を反応させるステップ、ここで、イソシアネート反応基に対するイソシアネート基のモル比は、１：１の比に調節される、
によって得ることのできる少なくとも１つの変換産物（ＣＤＩ）をさらに含む、
製剤（Ｚ）。
【請求項９】
請求項７から８のいずれかに記載の製剤（Ｚ）であって、
前記有機化合物（Ｏ）は、
モノアミン、モノアルコール、ジアミン、ジオール、ポリアミンおよびポリオール、好ましくはモノアミン、モノアルコール、ジアミンおよびジオールからなる群、
特に、Ｒ９−ＯＨ、
Ｒ９−ＮＨ２、
ＨＯ−Ｒ１０−ＯＨおよび
Ｈ２Ｎ−Ｒ１０−ＮＨ２からなる群より選択されて、ここで
Ｒ９は、−ＣＯ−Ｏ−、−ＣＯ−、−ＣＯ−ＮＨ−および−Ｏ−から選択される少なくとも１つの基を含んでもよく、少なくとも１つのポリアルキレンオキシド、カチオン性、アニオン性および／または両性基によって置換されてもよい、１２〜４０個の炭素原子を有する飽和または不飽和炭化水素残基であり、および
Ｒ１０は、−ＣＯ−Ｏ−、−ＣＯ−、−ＣＯ−ＮＨ−および−Ｏ−から選択される少なくとも１つの基を含んでもよく、少なくとも１つのポリアルキレンオキシド、カチオン性、アニオン性および／または両性基によって置換されてもよい、１２〜４０個の炭素原子を有する飽和または不飽和炭化水素基の残基である、
製剤（Ｚ）。
【請求項１０】
請求項１から９のいずれか一項に記載の製剤（Ｚ）の使用であって、
疎水化剤、特に、布地、特に、織物基材、紙、革、および、ミネラル布地に対する疎水化剤としての、
使用。
【請求項１１】
請求項１０に記載の製剤（Ｚ）の使用であって、
ペンキ、ニス、または、プラスターにおける添加剤としての、
使用。
【請求項１２】
基材を疎水化する方法であって、
請求項１から９のいずれか一項に記載の製剤（Ｚ）を、基材、好ましくは布地、より好ましくは織物基材、紙、革、または、ミネラル基材に適用するステップを含む、
方法。
【請求項１３】
請求項１２に記載の方法であって、
前記適用は、噴霧、浸漬、含浸、塗装またはスポンジ適用による、
方法。
【請求項１４】
請求項１２または１３に記載の方法であって、
前記製剤（Ｚ）は、強制適用によって、または排出方法によって、織物基材に適用される、
方法。
【請求項１５】
請求項１２から１４のいずれか一項に記載の方法であって、
前記製剤（Ｚ）は、既に洗濯された織物基材に適用される、
方法。
【手続補正２】
【補正対象書類名】明細書
【補正対象項目名】００４９
【補正方法】変更
【補正の内容】
【００４９】
ビルディングブロックは、対応するモノマー
2019519653.tif 000015
の、共重合によって得られて、
ここで、Ｒ５、Ｒ７、Ｒ８、およびＬは、Ｍ（１）、Ｍ（２）およびＭ（３）に関して定義される。
【手続補正３】
【補正対象書類名】明細書
【補正対象項目名】００５２
【補正方法】変更
【補正の内容】
【００５２】
好ましい実施態様では、成分（２）は、３０〜９０モル％、好ましくは４０〜８５モル％、より好ましくは５０〜８０モル％のビルディングブロックＭ（１）を含む。
【手続補正４】
【補正対象書類名】明細書
【補正対象項目名】００５４
【補正方法】変更
【補正の内容】
【００５４】
好ましい実施態様では、成分（２）は、５〜６５モル％、好ましくは１０〜５５モル％、より好ましくは１６〜４９モル％のビルディングブロックＭ（２）を含む。
【手続補正５】
【補正対象書類名】明細書
【補正対象項目名】００５６
【補正方法】変更
【補正の内容】
【００５６】
好ましい実施態様では、成分（２）は、０．１〜８モル％、好ましくは０．５〜５モル％、より好ましくは１〜４モル％のビルディングブロックＭ（３）を含む。
【手続補正６】
【補正対象書類名】明細書
【補正対象項目名】００５８
【補正方法】変更
【補正の内容】
【００５８】
好ましい実施態様では、成分（２）は、３０〜９０モル％のビルディングブロックＭ（１）、５〜６５モル％のビルディングブロックＭ（２）、および、０．１〜５モル％のビルディングブロックＭ（３）を含む。
【手続補正７】
【補正対象書類名】明細書
【補正対象項目名】００７１
【補正方法】変更
【補正の内容】
【００７１】
製剤の合計に基づいて、好ましくは０〜５０重量％、好ましくは１〜３５重量％、より好ましくは５〜３５重量％、より好ましくは５〜２５重量％、さらにより好ましくは５〜１５重量％の成分（３）が用いられる。成分（３）は、いかなる処方の補助もなく、溶媒含有の無水媒体から直接用いられてもよい。
【手続補正８】
【補正対象書類名】明細書
【補正対象項目名】０１０１
【補正方法】変更
【補正の内容】
【０１０１】
別の実施態様では、本発明に係る製剤（Ｚ）は、ペンキ、ニス、または、プラスターにおいて疎水化するための添加剤として用いられ得る。この場合、本発明に係る製剤の割合は、通常、組成物全体に対して、１〜１０重量％の本発明に係る製剤の固形物質である。